(57)【要約】【課題】状態遷移を変更する移動局と基地局との間の制御信号を低減させ、サービス品質を劣化させない無線通信システムを提供すること。【解決手段】複数の移動局２０を有し、基地局１０とそれぞれの移動局２０との間には個別チャネルがそれぞれ確立されている無線通信システムにおいて、  移動局２０から状態変更を行う旨のメッセージを受け付け、受け付けた状態変更を一時的に保留し、所定のタイミングで保留した状態変更を許可する旨のメッセージを複数の移動局にブロードキャストする状態遷移処理部１３を有するように構成する。【選択図】図４
2012134906.tif 000002
【特許請求の範囲】
【請求項１】
複数の移動局を有し、基地局とそれぞれの前記移動局との間には個別チャネルがそれぞれ確立されている無線通信システムにおいて、
前記移動局から状態変更を行う旨のメッセージを受け付け、受け付けた状態変更を一時的に保留し、所定のタイミングで保留した状態変更を許可する旨のメッセージを前記複数の移動局にブロードキャストする状態遷移処理部を有することを特徴とした無線通信システム。
【請求項２】
前記状態遷移処理部は、定期的に、前記状態変更を許可する旨のメッセージを前記複数の移動局にブロードキャストすることを特徴とする請求項１に記載の無線通信システム。
【請求項３】
複数の移動局を有し、基地局とそれぞれの前記移動局との間には個別チャネルがそれぞれ確立されている無線通信システムの制御方法において、
前記移動局から状態変更を行う旨のメッセージを受け付けるステップと、
受け付けた状態変更を一時的に保留するステップと、
所定のタイミングで保留した状態変更を許可する旨のメッセージを前記複数の移動局にブロードキャストするステップとを有することを特徴とした無線通信システムの制御方法。
【発明の詳細な説明】
【技術分野】
【０００１】
本発明は、移動局および基地局を有する無線通信システムに関する。
【背景技術】
【０００２】
無線通信システムであるＷ−ＣＤＭＡ（Wideband-Code Division Multiple Access）システムでは、下り通信の高速パケット伝送方式であるＨＳＤＰＡ（High Speed Downlink Packet Access）や上り通信の高速パケット伝送方式であるＥＵＤＣＨ(Enhanced Uplink Dedicated Channel)が標準化されている。これらのパケット伝送方式は、基地局がスケジューリングを行って複数の移動局に時間多重または符号多重によって、データ送受信のあるときのみ無線リソースを割当てるようにし、無線リソースの使用効率を高めている。
【０００３】
Ｗ−ＣＤＭＡを策定している３ＧＰＰ(3rd Generation Partnership Project)では、移動局は基地局との間で個別チャネル（DPCCH : Dedicated Physical Control Channel）でデータを常に送受信している。
【０００４】
個別チャネル (DCH ：Dedicated Channel)を使用中移動局は、Cell_DCH状態にあると呼ばれる。他方、データ送受信が長時間行われないと、移動局はCell_DCH以外の状態、例えばCell_FACH状態へ状態遷移する。
【０００５】
Cell_FACH状態では、移動局は、下りチャネルFACH(Forward Access Channel)を用いて予め指定された時間間隔で受信するのみであり、個別チャネルの送受信は行わない。従って、Cell_FACH状態の移動局では上りチャネルの同期は確保されていない。
【０００６】
その他の状態として、CELL_PCH状態は、セル単位で所在が特定されており、かつPCH(Paging Channel)を受信できる状態である。また、URA_PCH状態は、セル単位で所在が特定されていないが、PCHを受信できる状態である。IDLE状態は、トランスポートチャネルに接続していない状態である。
【０００７】
移動局では、ＲＲＣメッセージを送受してRRC Connected状態に遷移できる。RRC Connedted状態とは、CELL_DCH状態、CELL_FACH状態、CELL_PCH状態、あるいはURA_PCH状態である。移動局１台の状態遷移につき、それに対応したRRCメッセージ（制御信号）が必要である。                                                    
【先行技術文献】
【非特許文献】
【０００８】
【非特許文献１】3GPP TS25.214 3rdGeneration Partnership Project; Technical Specification Group Radio Access Network; Physical layer procedures(FDD)
【発明の概要】
【発明が解決しようとする課題】
【０００９】
Cell_FACH状態の移動局が所定量以上のデータの送受信を開始する場合、Cell_DCH状態へ状態遷移するが、状態遷移が完了しデータ送受信を開始するまでには相当の遅延が生じる。すなわち、基地局制御装置（ＲＮＣ）を介して当該移動局に個別チャネルリソースの割り当てを行い、移動局並びに基地局に所定の制御パラメータを通知する必要があり、また上りチャネルの同期を確保する必要であるからである。
【００１０】
したがって、Cell_DCH状態とCell_FACH状態との間の状態遷移が頻繁に生じると、データ送信遅延が増加しユーザのサービス品質が劣化すると共に、基地局の処理負荷が高まり、さらには基地局間の制御信号量が増加し好ましくない。
【００１１】
また、データ通信を頻繁に行うスマートフォン等の移動局においては、状態遷移が頻繁におこるため、ＲＲＣメッセージが非常に多くなり、ネットワークへの負荷が大きくなることが予想されている。
【００１２】
本発明は、状態遷移を変更する移動局と基地局との間の制御信号を低減させ、サービス品質を劣化させない無線通信システムを提供することを目的とする。
【課題を解決するための手段】
【００１３】
本発明の無線通信システムは、複数の移動局を有し、基地局とそれぞれの前記移動局との間には個別チャネルがそれぞれ確立されている無線通信システムにおいて、
前記移動局から状態変更を行う旨のメッセージを受け付け、受け付けた状態変更を一時的に保留し、所定のタイミングで保留した状態変更を許可する旨のメッセージを前記複数の移動局にブロードキャストする状態遷移処理部を有する構成を備えている。
【００１４】
また、本発明の無線通信システムは、前記状態遷移処理部は、定期的に、前記状態変更を許可する旨のメッセージを前記複数の移動局にブロードキャストする構成を備えている。
【００１５】
本発明の無線通信システムの制御方法は、複数の移動局を有し、基地局とそれぞれの前記移動局との間には個別チャネルがそれぞれ確立されていることにおいて、前記移動局から状態変更を行う旨のメッセージを受け付けるステップと、受け付けた状態変更を一時的に保留するステップと、所定のタイミングで保留した状態変更を許可する旨のメッセージを前記複数の移動局にブロードキャストするステップとを有する。
【発明の効果】
【００１６】
本発明は、状態遷移を変更する移動局と基地局との間の制御信号を低減させ、サービス品質を劣化させない無線通信システムを提供するものである。
【図面の簡単な説明】
【００１７】
【図１】本発明の実施形態に係る無線通信システムの全体概略構成図である。
【図２】本発明の実施の形態に係る基地局の構成図である。
【図３】移動局の状態遷移を示す図である。
【図４】本実施形態の無線通信システムの動作を示すシーケンス図である。
【発明を実施するための形態】
【００１８】
以下、本発明の実施の形態について、図面を参照して説明する。図１は、本発明の実施形態に係る無線通信システムの全体概略構成図である。
【００１９】
この無線通信システムは、３ＧＰＰの規格（例えば、Ｗ−ＣＤＭＡやＬＴＥ等の規格）に準拠し、基地局１０と、移動局２０Ａ及び移動局２０Ｂを含む。図１では、移動局２０Ａ及び移動局２０Ｂの２つしか示していないが、２つに限定しているわけではない。なお、基地局制御装置（ＲＮＣ）などは、説明を簡素化するため、省略してある。
【００２０】
なお、基地局１０と、移動局２０との間には、個別チャネル (DCH ：Dedicated Channel)が確立されている。
【００２１】
次に、本発明の実施の形態に係る基地局の構成について説明する。図２は、本発明の実施の形態に係る基地局のブロック図である。基地局１０は、無線通信部１１、ネットワークインタフェース１２、状態遷移処理部１３、および制御部１４を有している。
【００２２】
無線通信部１１は、移動局２０と通信するためにアンテナ（図示していない）からＲＦ信号を送受信するものである。また、無線通信部１１は、3ＧＰＰで規定されている通信方式に準拠した通信を行うものである。例えば、無線通信部１１は、制御部１４から出力された信号を変調処理し、変調処理された信号を無線信号に変換して送信するようになっており、受信した信号を変換し、変換したものを復調処理して制御部１４に出力するようになっている。
【００２３】
ネットワークインタフェース１２は、インターネット、専用線、または電話網との通信を行うものである。また、ネットワークインタフェース１２は、他の基地局、基地局制御装置、および特定の通信装置などと通信することが可能である。
【００２４】
状態遷移処理部１３は、上述した移動局の状態であるCell_DCH状態、Cell_FACH状態、CELL_PCH状態、URA_PCH状態を処理するものである。状態遷移処理部１３および制御部１４は、１つのプロセッサで実施されてもよい。
【００２５】
制御部１４は、例えばプログラムを実行するプロセッサ、ＲＯＭ、ＲＡＭなどによって構成され、移動局２０と送受信する信号（ＲＲＣメッセージ、ＭＢＭＳメッセージ）の処理などを行うものである。ＭＢＭＳは、Multimedia Broadcast/Multicast Serviceの略であり、そのメッセージは、移動局２０に対してブロードキャストされる。
【００２６】
ここで、本実施形態では、図３に示すように、移動局の状態遷移において、破線で示した方向の状態遷移についてＭＢＭＳを使った制御を行う。実線で示した状態遷移に関しては、移動局に個別の無線リソースを割り当てる必要があるため、本実施形態では説明しない。
【００２７】
図４は、本実施形態の無線通信システムの動作を示すシーケンス図である。本実施形態では、CELL_DCHからCELL_FACHへの状態遷移について説明する。
【００２８】
まず、状態遷移を行うとき、移動局２０Ａは、基地局２０に対してCELL_DCHからCELL_FACHへの状態遷移する旨のＲＲＣメッセージを送信する（ステップＳ１）。
【００２９】
基地局２０（状態遷移処理部１３）は、移動局２０Ａから送信されたＲＲＣメッセージを受信し、受信したＲＲＣメッセージに応じて移動局２０ＡのＤＣＨをキャンセルする（ステップＳ２）。このとき、移動局２０Ａに応答のメッセージは送信しない。すなわち、基地局２０（状態遷移処理部１３）は、即座には移動局２０のＲＲＣメッセージには応答しないで、受け付けた状態変更を一時的に保留しておく。
【００３０】
移動局２０ＡからＲＲＣメッセージが送信された同じ時期に、移動局２０Ｂは、基地局２０に対してCELL_DCHからCELL_FACHへの状態遷移する旨のＲＲＣメッセージを送信する（ステップＳ３）。
【００３１】
基地局２０（状態遷移処理部１３）は、移動局２０Ｂから送信されたＲＲＣメッセージを受信し、受信したＲＲＣメッセージに応じて移動局２０ＢのＤＣＨをキャンセルする（ステップＳ４）。同様に、移動局２０Ｂに応答のメッセージは送信しない。
【００３２】
定期的に移動局の状態遷移のためのＭＢＭＳメッセージをブロードキャストするため、所定タイミングで、基地局２０は、状態遷移のためのＭＢＭＳメッセージをブロードキャストする（ステップＳ５）。ここで、基地局２０（状態遷移処理部１３）は、移動局２０Ａおよび移動局２０Ｂから状態遷移する旨のＲＲＣメッセージを受信しているため、ＭＢＭＳメッセージには、状態遷移を許可するための情報が含まれる。
【００３３】
定期的にブロードキャストするとしたが、適切なタイミングで（状態変更の保留数が一定値を超えたタイミングなど、または、このタイミングと定期的タイミングとの組み合わせ等）ブロードキャストすればよく、特に定期的であることには限定しない。
【００３４】
移動局２０Ａおよび移動局２０Ｂは、このＭＢＭＳメッセージを受信すると、CELL_DCHからCELL_FACHに状態遷移する（ステップＳ６、Ｓ７）。
【００３５】
本実施形態では、CELL_DCHからCELL_FACHへの状態遷移について説明したが、図３の破線で示した状態遷移も同様である。
【００３６】
なお、状態遷移処理部１３は、本実施形態では基地局１０にあるが、基地局制御装置（ＲＮＣ）などにあってもよい。
【００３７】
以上説明したように、本発明の実施の形態に係る無線通信システムは、単方向通信であるＭＢＭＳを使用することで複数台の端末の状態遷移を一度に行うことが可能となり、ネットワークの負荷を軽減することができ、サービス品質を劣化させないようにすることができる。
【符号の説明】
【００３８】
１０  基地局
１１  無線通信部
１２  ネットワークインタフェース
１３  状態遷移処理部
１４  制御部
２０  移動局
【図１】
2012134906.tif 000003
【図２】
2012134906.tif 000004
【図３】
2012134906.tif 000005
【図４】
2012134906.tif 000006